(57)【要約】【課題】日付が変わる度に自動的にマーカが移動するように構成された、カレンダー標示装置を提供する。【解決手段】カレンダー標示装置１は、カレンダーＣの上部に配置されるレール部２と、レール部２に沿って往復走行する走行部３と、走行部３からワイヤ４１を介して吊り下げられるマーカ部４であって、カレンダーＣの特定の日付を標示するマーカ部４と、走行部３及びマーカ部４を制御する制御部５であって、日付が変わるごとに、自動的にマーカ部４を次の日に移動させる制御部５と、を備えている。【選択図】図２
0003224334.tif 000002
【実用新案登録請求の範囲】
【請求項１】
カレンダーの上部に配置されるレール部と、
前記レール部に沿って往復走行する走行部と、
前記走行部からワイヤを介して吊り下げられるマーカ部であって、前記カレンダーの特定の日付を標示するマーカ部と、
前記走行部及び前記マーカ部を制御する制御部であって、日付が変わるごとに、自動的に前記マーカ部を次の日に移動させる制御部と、
を備える、カレンダー標示装置。
【請求項２】
前記走行部は、前記ワイヤを巻上げ／巻下げるように構成されたドラムと、前記ドラムを回転させるモータと、を有する、請求項１に記載されたカレンダー標示装置。
【請求項３】
前記制御部は、時計機能部を内蔵するとともに、時刻を表示する時刻表示部をさらに有する、請求項１又は請求項２に記載されたカレンダー標示装置。
【請求項４】
前記制御部は、前記カレンダーの日付が月曜始まり／日曜始まりを選択する選択部をさらに備える、請求項１乃至請求項３のいずれか一項に記載されたカレンダー標示装置。
【請求項５】
前記制御部は、学習モードを搭載しており、次の日への移動距離と、次の週への移動距離を学習するように構成されている、請求項１乃至請求項４のいずれか一項に記載されたカレンダー標示装置。
【考案の詳細な説明】
【技術分野】
【０００１】
本考案は、カレンダーに取り付けられて特定の日付を標示するカレンダー標示装置に関するものである。
【背景技術】
【０００２】
一般に、カレンダーには、日付が縦横に並べられて表示されている。すなわち、曜日ごとに縦列を揃え、横列に一週間の日付を並べて表示している。日付が表示された欄には数字が記載され、曜日は記載されていない。このように数字のみが記載された日付のうち、特定の日付を強調するために、カレンダーに磁石を使用して目印を後付けする標示具がある（例えば、特許文献１参照）。
【０００３】
この特許文献１のカレンダー標示具は、強磁性体の背面プレートと、背面プレートをカレンダーの背面側に支持固定する支持クリップと、磁石を有し、背面プレートが背面側に固定されたカレンダーの表面に吸着して任意の日付を標示する標示飾りとを備えている。この背面プレートは、カレンダーの横幅と同等の横方向長さを有し、複数の支持クリップによってカレンダーの両側端に固定されている。
【先行技術文献】
【特許文献】
【０００４】
【特許文献１】実用新案登録第３１９７９８４号公報  しかしながら、特許文献１を含む従来の標示具は、日付が変わる度に、標示飾り（マーカ）を手動で移動させる必要があった。そのため、移動させる作業を怠ると日付がずれてしまい、当日の日付がわからなくなる、という問題があった。
【０００５】
そこで、本考案は、日付が変わる度に自動的にマーカが移動するように構成された、カレンダー標示装置を提供することを目的としている。
【考案の概要】
【課題を解決するための手段】
【０００６】
前記目的を達成するために、本考案のカレンダー標示装置は、カレンダーの上部に配置されるレール部と、前記レール部に沿って往復走行する走行部と、前記走行部からワイヤを介して吊り下げられるマーカ部であって、前記カレンダーの特定の日付を標示するマーカ部と、前記走行部及び前記マーカ部を制御する制御部であって、日付が変わるごとに、自動的に前記マーカ部を次の日に移動させる制御部と、を備えている。
【考案の効果】
【０００７】
このように、本考案のカレンダー標示装置は、レール部と、走行部と、マーカ部と、走行部及びマーカ部を制御する制御部であって、日付が変わるごとに、自動的にマーカ部を次の日に移動させる制御部と、を備えている。このような構成であれば、日付が変わる度に自動的にマーカ部が移動するようになる。したがって、本考案のカレンダー標示装置を用いれば、日付がずれることがなく、常に正しい日付を標示できるようになる。
【図面の簡単な説明】
【０００８】
【図１】実施例のカレンダー標示装置の正面図である。
【図２】カレンダー標示装置を１ヶ月めくりカレンダーに適用した作用図である。
【図３】カレンダー表示装置を２ヶ月めくりカレンダーに適用した作用図である。
【考案を実施するための形態】
【０００９】
以下、本考案の実施の形態について図面を参照して説明する。なお、以下に示す実施例は例示であり、本発明を実施例の内容に限定する意図はない。
【実施例】
【００１０】
（構成）
まず、図１、図２を用いて本考案のカレンダー標示装置１の全体構成を説明する。カレンダー標示装置１は、カレンダーＣの上部に配置されるレール部２と、レール部２に沿って往復走行する走行部３と、走行部３からワイヤ４１を介して吊り下げられるマーカ部４であって、カレンダーＣの特定の日付を標示するマーカ部４と、走行部３及びマーカ部４を制御する制御部５であって、日付が変わるごとに、自動的にマーカ部４を次の日に移動させる制御部５と、を備えている。レール部２には、クリップ構造（不図示）が搭載されており、このクリップ構造によってカレンダーＣを挟み込んで固定するようになっている。そして、レール部２中央の掛止部２１（後述）にフックが挿入されることによって、カレンダーＣ及びカレンダー標示装置１が壁面に掲示されるようになっている。
【００１１】
なお、ここでは、レール部２に設置されるクリップ構造によってカレンダーＣを挟み込んで保持する場合（壁、カレンダー標示装置１、カレンダーＣの順に固定）について説明したが、これに限定されるものではなく、壁面にカレンダーＣを（例えば、カレンダーＣの上部の台紙に設けた孔を用いて）固定し、このカレンダーＣにカレンダー標示装置１を固定すること（壁、カレンダーＣ、カレンダー標示装置１の順に固定）も可能である。
【００１２】
レール部２は、カレンダーＣの上部に配置されるものであり、細長い枠状の本体部２０と、本体部２０の中央に配置される掛止部２１と、を備えている。掛止部２１は、カレンダー標示装置１全体を壁等に掲示するために壁面に設置されたフック（不図示）が挿通される。
【００１３】
走行部３は、制御部５の指令を有線又は無線で受けて、レール部２を左右に往復移動するように構成されており、少なくとも、ワイヤ４１を巻き取るドラム３１と、ドラム３１を回転させる電動モータ３２と、を備えている。この他、走行部３は、走行用電源（電池ボックス又は電源アダプタ）や、レール部２上を走行するための走行用駆動輪３３を有している。この他、走行部３の駆動機構（移動手段）は、これに限定されるものではなく、レール部２側に設置された回転するウォームギヤと走行部３側に設置されたギヤを用いた構造など、どのようなものであってもよい。この走行部３が右方向に所定距離だけ走行することによって、日付が次の日に移動する。
【００１４】
マーカ部４は、走行部３からワイヤ４１を介して枠体４２が吊り下げられて構成されており、例えば四角形や六角形などの目印である。マーカ部４は、これに限定されるものではなく、当日の日付を指示・標示することのできるものであれば、その具体的な態様はどのようなものであってもよい。なお、マーカ部４の上下動の機構は、これに限定されるものではなく、どのようなものであってもよい。このマーカ部４が下方向に所定距離だけ走行することによって、日付が次の週に移動する。なお、図中では、２本のワイヤ４１を備えるものとして説明したが、これに限定されるものではなく、ワイヤ４１は１本であってもよいし、薄板状（ベルト状）のものであってもよい。
【００１５】
制御部５は、電池ボックス（図示しない）と、電子回路（図示しない）と、を有するコントローラであり、走行部３及びマーカ部４を制御する。制御部５は、日付が変わるごとに、自動的にマーカ部４を次の日に移動させる。すなわち、制御部５は、同じ週（すなわち同じ行）の場合には、走行部３を１日分右に移動させるとともに、次の週（すなわち下の行）に遷移する場合には、走行部３を６日分左に移動させるとともに、マーカ部４を１週分下に移動させる。
【００１６】
ここにおいて、制御部５は、レール部２の端部近傍に設置されるものとして説明したが、これに限定されるものではなく、制御部５は、走行部３に搭載されるものであってもよい。すなわち、走行部３と制御部５は、一体に構成することもできる。
【００１７】
また、制御部５は、例えば１０年分の暦データを含む時計機能部を内蔵するとともに、時刻を表示する時刻表示部５３をさらに有している。すなわち、時計機能部を内蔵することで、０時を回ることで日付を移動させる。さらに、時刻表示部５３を有することで、カレンダーＣを見た人が、現在時刻を確認できるようになっている。
【００１８】
さらに、制御部５は、カレンダーＣの日付が月曜始まり／日曜始まりを選択する選択部５４をさらに備えている。このように月曜始まり／日曜始まりを正しく選択することで、マーカ部４が正しいタイミングで次の週へと移動するようになる。この他、制御部５は、１ヶ月めくりカレンダー／２ヶ月めくりカレンダーのいずれかを選択する選択部５６をさらに備えることが好ましい。なお、後述するように、選択部５４は必須の要素ではない。
【００１９】
また、制御部５は、学習モードにモードを切り替える学習ボタン５５を搭載しており、次の日への移動距離と、次の週への移動距離を学習するように構成されている。すなわち、学習ボタン５５を押している間は学習モードになっており、はじめに１日分の移動距離を学習・記憶させ、次に１週分の移動距離を学習・記憶させる
【００２０】
（使い方）
次に、本実施例のカレンダー標示装置１の使い方について説明する。はじめに、あらかじめ設定が必要となる、学習モードについて説明する。操作者が、学習ボタン５５を押しながら、マーカ部４を手で右へ１日分だけ移動させることで、制御部５は、次の日への移動量を記憶する。さらに、もう一度、学習ボタン５５を押しながら、マーカ部４を手で下へ１週分だけ移動させることで、今度は、制御部５は、次の週への移動量を記憶する。この際には、時刻表示部５３に、「日記憶」、「週記憶」といった文字を表示することが好ましい。
【００２１】
そして、選択部５４によって、月曜始まり／日曜始まりを選択するとともに、選択部５６によって、１ヶ月めくりカレンダー／２ヶ月めくりカレンダーのいずれかを選択する。その後、当日の位置へマーカ部４を手で移動させる。そうすると、使用中には、制御部５は、午前０時に自動的にマーカ部４を次の日へ移動させる。一方、制御部５は、１週間の右端（すなわち日曜日、又は土曜日）であれば、次の週の左端（すなわち、月曜日、又は日曜日）へと下へ１週分、及び左に６日分だけマーカ部４を移動させる
【００２２】
（効果）
次に、本実施例のカレンダー標示装置１の奏する効果を列挙して説明する
【００２３】
（１）上述してきたように、カレンダー標示装置１は、カレンダーＣの上部に配置されるレール部２と、レール部２に沿って往復走行する走行部３と、走行部３からワイヤ４１を介して吊り下げられるマーカ部４であって、カレンダーＣの特定の日付を標示するマーカ部４と、走行部３及びマーカ部４を制御する制御部５であって、日付が変わるごとに、自動的にマーカ部４を次の日に移動させる制御部５と、を備えている。このような構成であれば、日付が変わる度に自動的にマーカ部４が移動するようになる。したがって、本考案のカレンダー標示装置１を用いれば、日付がずれることがなく、常に正しい日付を標示できるようになる
【００２４】
（２）また、走行部３は、ワイヤ４１を巻上げ／巻下げるように構成されたドラム３１と、ドラム３１を回転させるモータ３２と、を有することで、レール部２上を往復移動することができる
【００２５】
（３）さらに、制御部５は、時計機能部を内蔵するとともに、時刻を表示する時刻表示部５３をさらに有することで、すなわち、時計機能部を内蔵することで、０時を回ることで日付を移動させる。さらに、時刻表示部５３を有することで、カレンダーＣを見た人が、現在時刻を確認できるようになっている
【００２６】
（４）また、制御部５は、カレンダーＣの日付が月曜始まり／日曜始まりを選択する選択部５４をさらに備えることで、月曜始まり／日曜始まりの両方のカレンダーＣについて、正しいタイミングで日付を次の週へ移動させることができる
【００２７】
（５）さらに、制御部５は、学習モードを搭載しており、次の日への移動距離と、次の週への移動距離を学習するように構成されていることで、カレンダーＣの多様な寸法・移動距離に対応できるようになる。
【００２８】
以上、図面を参照して、本考案の実施例を詳述してきたが、具体的な構成は、この実施例に限らず、本考案の要旨を逸脱しない程度の設計的変更は、本考案に含まれる。
【００２９】
例えば、実施例では、１ヶ月めくりカレンダーに本考案のカレンダー標示装置１を適用する場合について説明したが、これに限定されるものではなく、図３に示すように、２ヶ月めくりカレンダーに本考案のカレンダー標示装置１を適用することも可能である。
【００３０】
また、実施例では、詳細には説明しなかったが、カレンダー標示装置１は、電池で駆動させることもできるし、家庭用コンセントを電源としてＡＣアダプタ等を介して駆動させることもできる。
【００３１】
さらに、実施例では、選択部５４によって月曜始まり／日曜始まりを選択するものとして説明したが、これに限定されるものではなく、選択部５４はなくてもよい。例えば、学習ボタン５５の機能として、カレンダーＣの全体の幅と、全体の高さと、を学習・記憶させる機能があり、当日の位置を指示するボタン（スタートボタンと兼用することもできる）を備えてもよい。
【００３２】
この場合、使用開始時に、あらかじめカレンダーＣの幅（７日分の幅、及び／又は、両端位置）と高さ（４週分、５週分、６週分の高さ、及び／又は、両端位置）について学習ボタン５５を押しながらマーカ部４を移動させて学習させたうえで、当日の位置にマーカ部４を合わせてスタートボタンを押すことによって、自動的にマーカ部４が移動するように構成することができる。
【符号の説明】
【００３３】
１          カレンダー標示装置
２          レール部
２０        本体部
２１        掛止部
３          走行部
３１        ドラム
３２        モータ
３３        駆動輪
４          マーカ部
４１        ワイヤ
４２        枠体
５          制御部
５３        時刻表示部
５４        選択部
５５        学習ボタン
５６        選択部
【図１】
0003224334.tif 000003
【図２】
0003224334.tif 000004
【図３】
0003224334.tif 000005